(57)【特許請求の範囲】
【請求項１】
左右の眼鏡枠（１）の各外側に前端をそれぞれ取り付けた支持片（２）の後端側と枠脚（３）の前端側との間を、枠脚（３）に対し支持片（２）の前端側が上下に回転でき、しかも枠脚（３）に対し支持片（２）の前端側を下方へ回転させたときには枠脚（３）がやや前進し相対的に支持片（２）がやや後退するようにした連結手段を介して両者を連結した多焦点用眼鏡枠。
【請求項２】
枠脚（３）に対し支持片（２）の前端側を上方又は下方へ回転させたとき両者を固定する手段を両者間に設けたことを特徴とする、請求項１に記載の多焦点用眼鏡枠。
【請求項３】
左右の眼鏡枠（１）の各外側に前端をそれぞれ取り付けた支持片（２）の後端側と枠脚（３）の前端側との間を、枠脚（３）に対し支持片（２）が上下に回転できてしかも前後動できるように連結し、支持片（２）に磁石（１１）を設けてその磁石（１１）と対向し吸着し合う二つの磁石（１３）（１２）を枠脚（３）の上方位置とその上方位置よりやや前方の下方位置とにそれぞれ設けた多焦点用眼鏡枠。
【請求項４】
左右の眼鏡枠（１）の各外側に前端をそれぞれ取り付けた支持片（２）の後端側と枠脚（３）の前端側との間を、枠脚（３）に対し支持片（２）が上下に回転できてしかも前後動できるように連結し、両者間には支持片（２）を後方へ付勢する手段を設け、そして枠脚（３）には、支持片（２）の一部を受ける二つの受け部を上方位置とその上方位置よりやや前方の下方位置とにそれぞれ設けた多焦点用眼鏡枠。
【請求項５】
支持片（２）を後方へ付勢する手段が、支持片（２）と枠脚（３）との間にばね（２３）を設けたものであることを特徴とする、請求項４に記載の多焦点用眼鏡枠。
【請求項６】
支持片（２）を後方へ付勢する手段が、支持片（２）と枠脚（３）とに同極どうしを対向させて磁石（２１）（２２）をそれぞれ設けたものであることを特徴とする、請求項４に記載の多焦点用眼鏡枠。
【請求項７】
左右の眼鏡枠（１）の各外側に前端側をそれぞれ取り付けた支持片（２）の後端側と枠脚（３）の前端側との間を、支持片（２）に対し枠脚（３）の後端側の耳掛け片（４）が上下に回転でき、しかも支持片（２）に対して枠脚（３）の後端側の耳掛け片（４）を下方へ回転させたときは支持片（２）がやや後退するようにした連結手段を介して両者を連結した多焦点用眼鏡枠。
【請求項８】
支持片（２）に対し枠脚（３）の後端側の耳掛け片（４）を上方又は下方へ回転させたとき両者を固定する手段を両者間に設けたことを特徴とする、請求項７に記載の多焦点用眼鏡枠。
【請求項９】
枠脚（３）に対して眼鏡枠（１）を下降させたときは眼鏡枠（１）がほぼ直立し、眼鏡枠（１）を上昇させたときは眼鏡枠（１）が前方へやや傾いてしかもやや後退するようにして、左右の眼鏡枠（１）の各外側にそれぞれ取り付けた支持片（２）と枠脚（３）の前端側との間を、ほぼ平行に配置した上下２本のバー（８７）（９０）でそれぞれ連結した多焦点用眼鏡枠。
【請求項１０】
左右の眼鏡枠（１）の各内側に、鼻当て（７）を、眼鏡枠に対して後端側が上下動できるようにそれぞれ取り付けたことを特徴とする、請求項１〜９のいずれか１項に記載の多焦点用眼鏡枠。
【発明の詳細な説明】
【０００１】
【発明の属する技術分野】
本発明は、多焦点レンズをはめ込むものであって、簡単な操作で眼鏡枠を上下させると同時に角度も変えられるようにし、遠方視・近点視のどの場合においても使用レンズ部が適正高さ・適正角度になるようにした多焦点用眼鏡枠に関するものである。
【０００２】
【従来の技術】
本発明の発明者は眼鏡枠を上下させると同時に角度も変えられるようにした多焦点用眼鏡枠を発明し、すでに特許権も取得している。（特公昭６２−２２１３１号公報）このものは、左右の眼鏡枠の各内側に鼻当てを上下できるようにそれぞれ取り付け、左右の眼鏡枠の各外側に上下に回転できるようにして枠脚をそれぞれ取り付けた多焦点用眼鏡枠である。
【０００３】
【発明が解決しようとする課題】
前記従来の多焦点用眼鏡枠には次のような欠点がある。まず、鼻当てを上下できるように取り付ける機構はやや複雑で、その分だけ製作費が高くなってしまう。また、使っているうちに次第にねじが緩んできたりして、枠脚の回転が正確には作動しなくなることもある。
本発明が解決しようとする課題は、簡単な操作で眼鏡枠を上下させるとともに角度も変えられるようにした多焦点用眼鏡枠を提供する点にある。
【０００４】
【課題を解決するための手段】
請求項１〜９に記載の多焦点用眼鏡枠においては、枠脚３又は耳掛け片４に対し支持片２又は枠脚３を上方へ回転させて遠方視の状態にしたり、支持片２又は枠脚３を下方へ回転させて近点視の状態にしたりする。近点視の状態にするときは、枠脚３又は耳掛け片４に対し支持片２又は枠脚３がやや後退する。このため、眼鏡枠１が顔面へやや近付き、鼻当て７の鼻への当接面が上昇し、眼鏡枠１はやや持ち上がる。
【０００５】
請求項９のものにおいては、眼鏡枠１に対し鼻当て７を上昇させて装用すると、眼鏡枠１は下降した遠方視の状態になる。鼻当て７を下降させて装用すると、眼鏡枠１は上昇して近点視の状態になる。すなわち、請求項１〜７のものに請求項８の鼻当て７の上下機構を組み込んだものでは、眼鏡枠１の上下量が更に大きくなる。
【０００６】
【発明の実施の形態】
本発明に係る多焦点用眼鏡枠は次のようなものである。すなわち、請求項１に係るものは、左右の眼鏡枠１の各外側に前端をそれぞれ取り付けた支持片２の後端側と枠脚３の前端側との間を、枠脚３に対し支持片２が上下に回転でき、しかも枠脚３に対し支持片２を下方へ回転させたときには支持片２がやや後退するようにした連結手段を介して両者を連結したものである。枠脚３に対する支持片２の回転機構や先端側を下方へ回転させたときに支持片２がやや後退するようにした連結手段としては、実施例として紹介したくぼみ・段部・磁力・ばね等を利用した各種のやり方を採用できる。その他いろいろなやり方を採用してもよい。
【０００７】
請求項２のものは、請求項１のものにおいて、枠脚３に対し支持片２を上方又は下方へ回転させたとき両者を固定する手段を両者間に設けたことを特徴とするものである。両者を固定する手段としては、実施例として紹介した磁力・ばね等を利用した各種のやり方を採用できる。その他いろいろなやり方を採用できる。
【０００８】
請求項３のものは、左右の眼鏡枠１の各外側に前端をそれぞれ取り付けた支持片２の後端側と枠脚３の前端側との間を、枠脚３に対し支持片２が上下に回転できてしかも前後動できるように連結し、支持片２に磁石１１を設けてその磁石１１と対向し吸着し合う二つの磁石１３・１２を枠脚３の上方位置とその上方位置よりやや前方の下方位置とにそれぞれ設けたものである。
【０００９】
請求項４のものは、左右の眼鏡枠１の各外側に前端をそれぞれ取り付けた支持片２の後端側と枠脚３の前端側との間を、枠脚３に対し支持片２が上下に回転できてしかも前後動できるように連結し、両者間には支持片２を後方へ付勢する手段を設け、そして枠脚３には、支持片２の一部を受ける二つの受け部を上方位置とその上方位置よりやや前方の下方位置とにそれぞれ設けたものである。支持片２を後方へ付勢する手段としては、実施例として紹介した磁力・ばね等を利用した各種のやり方その他任意のやり方を採用することができる。
【００１０】
請求項５のものは、請求項４のものにおいて、支持片２を後方へ付勢する手段として支持片２と枠脚３との間にばね２３を設けたものを採用したことを特徴とするものである。
【００１１】
請求項６のものは、請求項４のものにおいて、支持片２を後方へ付勢する手段として支持片２と枠脚３とに同極どうしを対向させて磁石２１・２２をそれぞれ設けたものを採用したことを特徴とするものである。
【００１２】
請求項７のものは、左右の眼鏡枠１の各外側に前端側をそれぞれ取り付けた支持片２の後端側と枠脚３の前端側との間を、支持片２に対し枠脚３の後端側の耳掛け片４が上下に回転でき、しかも支持片２に対して枠脚３の後端側の耳掛け片４を下方へ回転させたときは支持片２がやや後退するようにした連結手段を介して両者を連結したものである。支持片２に対する枠脚３の回転機構や枠脚３の後端部の耳掛け片４を下方へ回転させたときに支持片２がやや後退するようにした連結手段としては、実施例として紹介したくぼみ・段部・磁力・ばね等を利用した各種のやり方を採用できる。その他いろいろなやり方を採用してもよい。
【００１３】
請求項８のものは、請求項７のものにおいて、支持片２に対し枠脚３の後端側の耳掛け片（４）を上方又は下方へ回転させたときに両者を固定する手段を両者間に設けたことを特徴とするものである。同じく両者を固定する手段としては、実施例として紹介した磁力・ばね等を利用した各種のやり方を採用できる。その他いろいろなやり方を採用してもよい。
【００１４】
請求項９のものは、枠脚３に対して眼鏡枠１を下降させたときは眼鏡枠１がほぼ直立し、枠脚３に対して眼鏡枠１を上昇させたときは眼鏡枠１が前方へやや傾いてしかもやや後退するようにして、左右の眼鏡枠１の各外側にそれぞれ取り付けた支持片２と枠脚３の前端側との間を、ほぼ平行に配置した上下２本のバー８７・９０でそれぞれ連結したものである。
【００１５】
請求項１０のものは、請求項１〜９のいずれか１項のものにおいて、左右の眼鏡枠１の各内側に上下動できるように鼻当て７をそれぞれ取り付けたことを特徴とするものである。鼻当て７の上下動機構としては、例えば前記の特公昭６２−２２１３１号公報に記載されたものを採用してもよい。特開平８−２９２４００号公報に記載されたもの等を採用することもできる。
【００１６】
【実施例】
各種実施例を紹介する。なお、支持片２と枠脚３との間の連結機構として紹介したものは、枠脚３と耳掛け片４との間の連結機構に転用することができる。逆に、枠脚３・耳掛け片４間の連結機構として紹介したものは、支持片２・枠脚３間の連結機構に転用できる。また、支持片２と枠脚３との間の連結機構として紹介したものにおいては、支持片２側の構造等を枠脚３側の構造等とし、枠脚３側の構造等を支持片２側の構造等とすることができる。すなわち、両部材間の構造等は対称にして入れ換えても、同様の連結機構となる。枠脚３・耳掛け片４間の連結機構についても同様である。
【００１７】
なお、現実には枠脚を内側へ折り畳むようにした眼鏡が多いが、以下に紹介した実施例の中には、発明の本質とは関係が無いため、枠脚３の内側への折り畳み機構の図示を省いたものがある。支持片２と枠脚３との連結部で折り畳むようにしてもよいし、支持片２や枠脚３の中間部等で折り畳むようにしてもよい。
【００１８】
実施例１
実施例１を図１・図２に基づいて説明する。図１において、１は多焦点レンズをはめ込んだ眼鏡枠を示している。両眼鏡枠１の各外側に後方へ向けて支持片２をそれぞれ取り付け、各支持片２には後方へ向けで枠脚３をそれぞれ取り付けている。枠脚３の後方には下方へ折り曲げた耳掛け片４を取り付けている。また、両眼鏡枠１の各内側には取付棒５を介して取付座６をそれぞれ取り付け、取付座６に鼻当て７をそれぞれ取り付けている。
【００１９】
支持片２と枠脚３との連結部の構造を図２に基づいて説明する。支持片２の後方に後方へ突出する突片８を設け、突片８に小判状の穴９をあけている。枠脚３の前端付近に設けた軸１０を穴９に通すことで、枠脚３に対し支持片２が上下に回転できしかも前後動できるように取り付けている。支持片２の突片８の後端に磁石１１を取り付けている。そして、枠脚３には下方に磁石１２を取り付け、磁石１２のやや後方上側にも別の磁石１３を取り付けている。支持片２の磁石１１は枠脚３の二つの磁石１２・１３と吸着し合うものとしている。
【００２０】
図２の上図に示すように、支持片２の磁石１１と枠脚３の前側下方の磁石１２とを吸着し合わせ、支持片２・枠脚３を真っすぐにして装用すると、図１に実線で示す状態になる。眼鏡枠１が下方位置で支持された遠方視の状態である。
【００２１】
近点視の状態にするには、両手で眼鏡枠１を持って下方を引き、手を離せば支持片２の磁石１１が枠脚３の後方上方の磁石１３と吸着し合う。支持片２の前方が下方へやや回転して支持片２がやや後退している。このため、眼鏡枠１と耳掛け片４との間が短くなっている。鼻の両側面における鼻当て７の当接面が上昇して眼鏡枠１が持ち上げられ、図１で二点鎖線で示す近点視の状態になる。眼鏡枠１は近点視の視線に対応する前方へやや傾いた角度になっている。遠方視の状態に帰すには、逆の操作をすればよい。
なお、支持片２の磁石１１を磁性体に変えてもよい。逆に、枠脚３の磁石１２・１３を磁性体に変えてもよい。
【００２２】
実施例２
実施例２を図３に基づいて説明する。実施例２のものは、実施例１のものにおいて磁石１２の上方に磁石１４を設け、磁石１３の下方に磁石１５を設けたものに相当する。磁石１４・１５は支持片２の磁石１１と反発し合うものとしている。最上図は磁石１１・１２が吸着し合った遠方視の状態を示している。近点視の状態にするには、２番目の図が示すように、支持片２の前方をやや下げる。支持片２の磁石１１が枠脚３の磁石１４の後方へ来て、両磁石１１・１４間に反発磁場が発生する。支持片２が後方へ引かれ、３番目の図が示すように、磁石１１が後方の磁石１３に吸着され近点視の状態になる。遠方視の状態に帰すには、最下位の図が示すように、支持片２を水平にする。磁石１１・１５間に反発磁場が生じて支持片２が前方へ押され、最上位の図が示す遠方視の状態に帰る。
【００２３】
実施例３
実施例３を図４に基づいて説明する。支持片２の後端に磁石１１を取り付け、枠脚３には上方に磁石１３を取り付けて磁石１３の下方やや前方に磁石１２を取り付けている。磁石１２・１３は磁石１１と吸着し合うものである。支持片２と枠脚３とを真っすぐにしたときは上図に示すように磁石１１・１２が吸着し合っている。枠脚３に対し支持片２をやや傾けたときは、下図が示すように、磁石１１・１３が吸着し合っている。このとき、支持片２はやや後退している。
なお、磁石１１を磁性体に変えてもよい。逆に、磁石１２・１３を磁性体に変えてもよい。
【００２４】
実施例４
実施例４を図５に基づいて説明する。枠脚３には上方にくぼみ１６を設け、くぼみ１６の下方にくぼみ１６よりやや浅いくぼみ１７を設けている。くぼみ１６・１７の奥には磁石１３・１２をそれぞれ埋め込んでいる。また、支持片２の突片８の後端に磁石１１を取り付けている。磁石１１は磁石１２・１３と吸着し合うものである。
【００２５】
上図は遠方視の状態を示している。支持片２の磁石１１が枠脚３の磁石１２と吸着し合ってしっかり固定している。下図は近点視の状態を示しており、磁石１１・１３とが吸着し合っている。
なお、支持片２の磁石１１を磁性体に変えてもよい。逆に、枠脚３の磁石１２・１３を磁性体に変えてもよい。
【００２６】
実施例５
実施例５を図６に基づいて説明する。実施例５は実施例３の変形である。支持片２の突片８の後端に、やや回転できるようにして磁石１１を取り付けている。枠脚３には、磁石１１の側部と側部が吸着し合う磁石１３を上方に設け、同じく磁石１１の側部と側部が吸着し合う磁石１２を磁石１３よりやや前方の下方位置に設けている。実施例５の作動は、図６やこれまでの説明から明らかであるから説明を省く。
なお、磁石１１を磁性体に変えてもよい。逆に、磁石１２・１３を磁性体に変えてもよい。
【００２７】
実施例６
実施例６を図７に基づいて説明する。実施例６も実施例３の変形である。支持片２の後端に磁石１１を取り付けている。枠脚３には上方の深いくぼみ１６と下方の浅いくぼみ１７を設け、くぼみ１６・１７間に円板状の磁性体１８を取り付けている。上図に示す遠方視の状態では、磁石１１が下方のくぼみ１７にはまって磁性体１８の下方部に吸着している。下図に示す近点視の状態では、磁石１１が上方のくぼみ１６にはまって磁性体１８の上方部に吸着している。
【００２８】
なお、磁性体１８の代わりに磁石を使用し、その磁石は下方部が磁石１１の上方部と吸着し合い、上方部が磁石１１の下方部と吸着し合うものとしてもよい。磁石１１を磁性体とし、磁性体１８を磁石にしてもよい。
【００２９】
実施例７
実施例７を図８に基づいて説明する。実施例７も実施例３の変形である。支持片２の穴９の後端に前方へ半円状に突出する突出部１９を設け、軸１０の後端側に突出部１９がはまるへこみ２０を設けている。支持片２の後端に磁石１１を設け、枠脚３には磁石１１と吸着し合う磁石１３を上方に設けて、磁石１１と反発し合う磁石１２を磁石１３よりやや前方の下方位置に設けている。
【００３０】
上図は、支持片２と枠脚３とを真っすぐにした遠方視の状態を示している。磁石１１・１２が反発し合って支持片２が前進し、支持片２の突出部１９が軸１０のへこみ２０にはまっている。下図は、支持片２がやや傾いた近点視の状態を示している。磁石１１・１３が吸着し合って軸１０が穴９内の前方に位置し、枠脚３に対し支持片２がやや後退している。
なお、磁石１３の代わりに磁性体を用いてもよい。
【００３１】
実施例８
実施例８を図９に基づいて説明する。支持片２の後端に突片８を設けている。枠脚３には上方の深いくぼみ１６と下方の浅いくぼみ１７を設けている。くぼみ１６・１７は支持片２の突片８がちょうどはまる形状・大きさのものとしている。そして、穴９内において軸１０の後方に磁石２１を取り付け、また穴９内の後方位置に別の磁石２２を取り付けている。磁石２１・２２は互いに反発し合うものとしている。実施例８のものの作動は明らかである。
【００３２】
実施例９
実施例９を図１０に基づいて説明する。実施例９のものは、実施例８のものにおいて磁石２１・２２を取り付けた位置にコイルばねからなるばね２３をはめたものに相当する。
【００３３】
実施例１０
実施例１０を図１１に基づいて説明する。実施例１０のものは、実施例９のものにおいてばね２３の代わりに弾性体２４を用いたものに相当する。弾性体２４は伸縮できる蛇腹状のものとし、内部に気体や流体を収容している。
【００３４】
実施例１１
実施例１１を図１２に基づいて説明する。実施例１１は基本的には実施例９と同じである。支持片２の突片８の後端に設けた突起２５を枠脚３に設けたガイド穴２６にはめている。ガイド穴１６は弓状に湾曲するものとし、上端より下端の方がやや前方に位置するようにしている。
【００３５】
実施例１２
実施例１２を図１３に基づいて説明する。枠脚３のくぼみ１６の奥に磁石２７を設け、くぼみ１６の下に段部２８を設けている。そして、支持片２の穴９内に配置した逆Ｕ字状のばね２３の一端を支持片２に取り付けている。支持片２において、少なくとも突片８は磁性体で製作している。上図は遠方視の状態を示している。ばね２３に押されて突片８が段部２８に押し付けられ、しっかり固定している。下図は近点視の状態を示している。磁性体の突片８が磁石２７に吸着されている。
なお、支持片２の突片８に磁石を設けてもよい。突片８に磁石を設け、枠脚３の磁石２７を磁性体に変えてもよい。
【００３６】
実施例１３
実施例１３を図１４に基づいて説明する。支持片２に設けた軸１０を枠脚３にあけた穴９にはめている。軸１０の上方位置において支持片２に設けたピン２９を、枠脚３にあけた上下方向に小判状とした小穴３０にはめている。支持片２の後端には上方のくぼみ１６と下方のくぼみ１７とを設けている。また、枠脚３には板状のばね２３の後端を取り付け、ばね２３の前端は支持片２のくぼみ１６・１７にはまる円弧状に形成している。
【００３７】
上図は、支持片２と枠脚３とを真っすぐにし、ばね２３の前端が上方のくぼみ１６にはまった遠方視の状態を示している。軸１０は穴９内の前端位置に位置し、ピン２９は小穴３０内の上方位置に位置している。
【００３８】
眼鏡枠１を傾けると支持片２が折れ曲がってばね２３の前端が下方のくぼみ１７にはまり、下図に示す近点視の状態になる。軸１０は穴９内の後方位置に位置し、ピン２９は小穴３０内の下方位置に位置している。支持片２は後方へやや引き寄せられている。
【００３９】
実施例１４
実施例１４を図１５に基づいて説明する。枠脚３は板状のものとし、支持片２には枠脚３がはまる穴を後方からあけてその穴に枠脚３の前方部を挿入している。支持片２の前端付近には軸３１で眼鏡枠１を回転できるように取り付けている。軸３１は眼鏡枠１と一体のものとし、軸３１にはレバー３２の前端を一体に取り付けている。そして、レバー３２の後端がはまってレバー３２を固定するばね３３・３４を支持片２の穴内の上下に設けている。レバー３２の後端にはく字形に屈曲する回転片３５の前端をピン３６で取り付け、回転片３５の屈曲部をピン３７で支持片２に取り付けている。回転片３５の後端はピン３８で枠脚３に取り付けている。
【００４０】
上図は、眼鏡枠１を立ててレバー３２の後端が下方のばね３４にはまって固定された遠方視の状態を示している。眼鏡枠１の下方を引いて傾けると、レバー３２の後方が上昇する。レバー３２が上昇するときピン３７を中心にして回転片３５を回転させる。ピン３８を中心にしてピン３７と共に支持片２・眼鏡枠１をやや後退させ、レバー３２の後端が上方のばね３３にはまって固定し、下図が示す近点視の状態になる。
【００４１】
実施例１５
実施例１５を図１６・図１７に基づいて説明する。図１６・１７において、上図は顔面を横から見た図、中図は鼻を拡大して正面から見た図、下図は鼻当て７の鼻への接触面に平行な方向に見た図である。実施例１５のものにおいては、支持片２と枠脚３との連結機構としてはこれまでに紹介した各実施例等のものを使用する。そして、鼻当て７として、く字形に湾曲させ、上方の上方当接面３９と下方の下方当接面４０とを備えたものを使用している。図１６に示すように、枠脚３に対し支持片２を真っすぐにした遠方視の状態では、鼻当て７の上方の上方当接面３９が鼻の両側面に接触して眼鏡枠１を下方位置で支持している。
【００４２】
図１７に示すように、枠脚３に対し支持片２を折り曲げた近点視の状態では、鼻当て７の下方の下方当接面４０が鼻の両側面に接触している。すなわち、鼻への接触面が上方当接面３９から下方当接面４０へ移ることで、眼鏡枠１の必要な上昇量と適切な鼻位置への当接が確保できる。
【００４３】
実施例１６
実施例１６を図１８に基づいて説明する。鼻当て７を変形させることができる材料で製作している。個人差に合わせて上方当接面３９又は下方当接面４０の角度を調節できるようにしている。
【００４４】
実施例１７
実施例１７を図１９・図２０に基づいて説明する。実施例１７のものは、これまでに紹介した支持片２・枠脚３間の連結機構等と併用する。（なお、実施例２０以下のものと併用することもできる。）実施例１７のものにおいては、取付座６に対し鼻当て７を上下できるように取り付けている。鼻当て７の上下機構を図２０に基づいて説明する。
【００４５】
図２０の（ａ）は左側部材の断面図である。（ｂ）は右側部材の断面図すなわち（ｃ）のＢ−Ｂ断面図である。（ｃ）は（ｂ）のＡ−Ａ断面図である。左右の鼻当て７は左右でハの字形になるように取り付けている。鼻当て７には、上部を少しだけ残して断面円形のくぼみ４１を垂直方向に設けている。くぼみ４１の後方は外部へ貫通するスリット４２としている。くぼみ４１の上方位置において、鼻当て７内に磁石４３を埋め込んでいる。
【００４６】
取付座６は、鼻当て７のくぼみ４１にちょうどはまる円筒４４を先端に形成し、スリット４２にちょうどはまる幅の板状部４５を円筒４４の後方に形成したものとしている。そして、円筒４４・板状部４５を下方からくぼみ４１・スリット４２にそれぞれはめて、取付座６に対し鼻当て７を取り付けている。取付座６には鼻当て７の後面に接触する位置に幅広の板状体４６を設け、板状体４６の後方に穴４７をあけている。左右の眼鏡枠１の各内側に取り付けた取付棒５の先端に、穴４７を利用してねじで取付座６を取り付ける。円筒４４内には上下にはみ出す長さとした円柱状の磁石４８をはめている。そして、磁石４８がはまるくぼみを上方からあけて、くぼみの奥に磁石４９を埋め込んだ抜止め片５０を鼻当て７の下端に接着している。磁石４９は上方の磁石４３より弱いものとしている。
【００４７】
図１９・２０のものは、次のように使用する。図１９で実線で示したのは、取付座６に対して鼻当て７が上昇し、眼鏡枠１は逆に下降した遠方視の装用状態である。図２０に示すように、取付座６の磁石４８が鼻当て７の下方の磁石４９と吸着し合っている。近点視の状態にするには、眼鏡枠１を持ち上げて鼻当て７をまゆ毛の生え際辺りに押し付けながらも、同時に下方をやや引いてから手を離す。鼻当て７のくぼみ４１・スリット４２に取付座６の円筒４４・板状部４５がガイドされながら鼻当て７に対し取付座６が上昇していき、鼻当て７の上方の磁石４３と取付座６の磁石４８とが吸着し合ったところで眼鏡枠１の上昇が止まる。同時に、枠脚３に対し支持片２がやや後退して前方側が下へ傾く。眼鏡枠１が前方へやや傾くと同時に、鼻当て７の鼻への当接位置も上昇し、図１９で二点鎖線で示した近点視の状態になる。
【００４８】
遠方視の状態に帰すには、鼻当て７が当たっている鼻の当接面に向かって眼鏡枠１を押し下げながらも、同時に下方側を押し出して手を離す。鼻当て７に対し取付座６が下降し、支持片２と枠脚３とが真っすぐになって、図１９の実線で示す状態になる。
【００４９】
実施例１８
実施例１８を図２１に基づいて説明する。実施例１〜１４のものにおいては支持片２は短いが、実施例１８のものにおいては支持片２はかなり長いものとし、枠脚３はその分だけ短くしている。その他の構成及び操作は実施例１〜１４等と同じである。折曲げ部がかなり後方に来ることになる。
【００５０】
実施例１９
実施例１９を図２２に基づいて説明する。支持片２を更に長くし、枠脚３は更に短くしている。
【００５１】
実施例２０
実施例２０を図２３に基づいて説明する。これまでに紹介した実施例は支持片２と枠脚３との間に設けた連結機構についてのものであったが、実施例２０は枠脚３の後端と耳掛け片４の前端との間に設けた連結機構に関するものである。枠脚３の後端付近にあけた円形の穴９に連結片５１に取り付けた軸１０をはめて、枠脚３の後方に連結片５１を連結している。連結片５１の後方部には前後に貫通する方形の貫通穴５２を設け、貫通穴５２にはまる板状体５３を貫通穴５２にはめている。板状体５３にピン５４を設け、連結片５１の軸１０とピン５４との間にばね２３を取り付けて枠脚３を後方へ付勢している。板状体５３の前端縁は下方は垂直で、上方部は上方へいくほど次第に後退する形状に形成している。板状体５３の後方に耳掛け片４を取り付けている。
【００５２】
上図は遠方視の状態を示している。枠脚３・連結片５１・板状体５３・耳掛け片４が真っすぐになり、枠脚３の後端が板状体５３の下方部に当たっている。下図は近点視の状態を示している。枠脚３が下方へ折れ曲がり、枠脚３の後端が板状体５３の上方のへこんだ前端縁に当たって枠脚３がやや後退している。
【００５３】
実施例２１
実施例２１を図２４に基づいて説明する。実施例２１は実施例２０の変形である。枠脚３の後端に磁石１１を取り付け、板状体５３の前端下方に磁石１２を取り付けて前端上方のへこんだ部分に磁石１３を取り付けている。また、板状体５３に小判状の穴５５をあけ、連結片５１に取り付けたピン５６を穴５５にはめて抜け止めとしている。実施例２１の作動は、図２４及びこれまでの説明から明らかである。
なお、磁石１１を磁性体に変えてもよい。逆に、磁石１２・１３を磁性体に変えてもよい。
【００５４】
実施例２２
実施例２２を図２５に基づいて説明する。眼鏡枠１に長方形板状の支持片２を取り付けている。支持片２の中間部には、枠脚３を内側へ折り畳む折畳み機構を設けている。支持片２の下方に磁石５７を取り付けている。枠脚３の前方部に支持片２の後方部がはまる溝５８を上方から設け、溝５８に支持片２の後方部をはめている。そして、溝５８の前端上方に抜止め５９を設け、支持片２の前方部が上方へ回転して溝５８から抜け出ることのないようにしている。また、溝５８の側方に別の溝６０を溝５８と平行に設け、溝６０内に回転片６１をはめている。回転片６１の前方部には前方へ傾いた小判形の穴６２をあけ、支持片２の後端付近に取り付けたピン６３を穴６２にはめている。回転片６１の後端は軸６４で枠脚３へ取り付け、軸６４により回転片６１の前方側が枠脚３に対し上下に回転できるようにしている。回転片６１の中程下方に二つの磁石６５を取り付け、磁石６５と対向するする位置において磁石６５と吸着し合う磁石６６を枠脚３に取り付けている。また、枠脚３の前方部下方にも眼鏡枠１の磁石５７と吸着し合う磁石６７を取り付けている。回転片６１の上方への回転範囲を調節するねじ６８を枠脚３の上方からねじ込んでいる。ねじ６８のねじ込み量を調節することで、回転片６１の回転範囲を調節する。
【００５５】
図２５の中図は遠方視の状態を示している。枠脚３に対し支持片２を真っすぐにし、回転片６１の磁石６５と枠脚３の磁石６６とが吸着し合って支持片２のピン６３が回転片６１の穴６２内の前端に位置している。下図は近点視の状態を示している。眼鏡枠１の下方側を引くと回転片６１の前方側が持ち上がって磁石６５が磁石６６から離れ、眼鏡枠１がやや後退し磁石５７が枠脚３の磁石６７と吸着し合う。
【００５６】
実施例２３
実施例２３を図２６に基づいて説明する。回転片６１の前端付近に小判状の穴６２をあけ、支持片２の後端に取り付けたピン６３を穴６２にはめている。回転片６１の後端を取り付けた軸６４にばね６９の中央を巻き付けている。ばね６９の後端は枠脚３に固定して前端は回転片６１に固定し、ばね６９で回転片６１の前方側を上方へ付勢している。枠脚３の外周にはまる形状にしたスライド片７０を枠脚３の外周にはめている。
【００５７】
図２６の中図は、枠脚３に対し支持片２を真っすぐにした遠方視の状態を示している。スライド片７０が前進し、スライド片７０で回転片６１の前方側を押さえている。スライド片７０を後退させると、回転片６１の前方側を押さえるものがなくなる。ばね６９の力で回転片６１の前方側が持ち上がり、支持片２や眼鏡枠１を下方へ傾けてしかも眼鏡枠１を少し後退させ、下図が示す近点視の状態になる。
【００５８】
実施例２４
実施例２４を図２７に基づいて説明する。支持片２の後方部を斜め後方上方へ立ち上げ、回転片６１の前端に固定して取り付けた軸７１で支持片２の後端を連結している。回転片６１は斜め後方下方へ下げた状態にし、枠脚３の前端に固定して取り付けた軸６４で回転片６１の後端を連結している。ばね７２の中央を軸７１に巻き付け、ばね７２の前端を支持片２に固定して後端を回転片６１に固定している。ばね７２は、回転片６１に対し支持片２の前方側を上方へ付勢している。そして、支持片２に段部７３を設けて回転片６１にピン７４を取り付け、ピン７４が段部７３に当たるとそれ以上は支持片２が回転しないようにしている。また、軸６４にもばね６９の中央を巻き付け、ばね６９の前端を回転片６１に固定して後端を枠脚３に固定している。ばね６９は、枠脚３に対し回転片６１の前方側を下方へと付勢している。回転片６１にピン７５を取り付け、枠脚３にはピン７５を挟む２か所に段部７６をそれぞれ設け、枠脚３に対する回転片６１の回転範囲を規制している。また、軸７１と一体に回転するカム７７を軸７１に取り付け、カム７７は支持片２の後方部に沿う方向へ向けている。そして、軸７１の上方からカム７７の先端側へ掛け渡したワイヤ７８の前端を支持片２に固定し、後端を枠脚３に固定している。支持片２と回転片６１の対向する位置に、互いに吸着し合う磁石７９及び磁石８０をそれぞれ取り付けている。
【００５９】
図２７の上図は遠方視の状態を示している。ばね６９の力で枠脚３に対し回転片６１の前方側が下方へ回転し、回転片６１のピン７５が枠脚３の下方の段部７６に当たっている。また、ばね７２の力で回転片６１に対し支持片２の前方側が上方へ回転し、回転片６１のピン７４が支持片２の段部７３に当たっている。下図に示す近点視の状態にするには、眼鏡枠１の下方を引いて支持片２の磁石７９と回転片６１の磁石８０とを吸着させればよい。なお、眼鏡枠１の下方を引くとき、支持片２に対し相対的にカム７７が上方へ回転し、ワイヤ７８の力で回転片６１をやや立ち上げる。回転片６１が立ち上がると、その分だけ眼鏡枠１の傾きを小さくする。もしカム７７の機構を設けていない場合は、眼鏡枠１が過度に傾いてしまう。
【００６０】
実施例２５
実施例２５を図２８に基づいて説明する。支持片２の後端に固定した軸７１で回転片６１の前端を連結している。軸７１に中央を巻き付けたばね７２の前端を支持片２に固定し、後端を回転片６１に固定している。ばね７２で回転片６１に対し支持片２の前方側を上方へ付勢している。軸７１にギヤ８１も固定し、ギヤ８１とかみ合うギヤ８２を回転片６１に取り付けている。回転片６１にはギヤ８２とかみ合うギヤ８３を取り付け、ギヤ８３とかみ合うギャ８４も取り付けている。そして、ギヤ８４とかみ合うギヤ８５を枠脚３に固定している。支持片２に磁石７９を取り付け、回転片６１に磁石８０を取り付けている。
【００６１】
図２８の上図は遠方視の状態を示している。ばね７２の力で回転片６１に対し支持片２の前方側が持ち上がり、眼鏡枠１はほぼ垂直になっている。眼鏡枠１の下方を引くと、支持片２が回転片６１に近付き、支持片２の磁石７９と回転片６１の磁石８０とが吸着し合い、下図に示す近点視の状態になる。なお、回転片６１に対し相対的に支持片２が回転するとき、支持片２のギヤ８１も一体になって回転する。ギヤ８１が回転すると、回転片６１の二つのギヤ８２・８３を介して三つ目のギヤ８４を逆方向へ回転させる。ギヤ８４が逆方向へ回転することで枠脚３に対し回転片６１がやや立ち上がり、眼鏡枠１が過度に傾くことを防ぐ。
【００６２】
実施例２６
実施例２６を図２９に基づいて説明する。眼鏡枠１に対し細長い支持片２を縦に取り付けている。枠脚３の前端はＬ字形に形成し、前端下方に水平の脚８６を前方へ突出させて設けている。そして、枠脚３の前端上方と支持片２との間にバー８７を架け渡し、ピン８８及びピン８９でそれぞれ取り付けている。バー８７の下方位置においても、バー８７とほぼ平行にしてバー８７よりやや短いバー９０を架け渡し、ピン９１及びピン９２でそれぞれ取り付けている。ピン９１にばね９３の中央を巻き付け、ばね９３の前端をバー９０に固定して後端を枠脚３に固定している。枠脚３に対しバー９０を介してばね９３で支持片２・眼鏡枠１を下方へ付勢している。枠脚３の脚８６にはストッパー９４を設け、バー９０がストッパー９４に当たった位置から下方へはバー９０が回転しないようにしている。枠脚３の脚８６の前端内面にくぼみ９５を設け、眼鏡枠１の下方を引いたときくぼみ９５が来る位置において眼鏡枠１に突起９６を設けている。
【００６３】
図２９の上図は遠方視の状態を示している。枠脚３に対し眼鏡枠１がほぼ直交している。眼鏡枠１の下方を引くと眼鏡枠１がやや上昇して前方へやや傾き、眼鏡枠１の突起９６が枠脚３のくぼみ９５にはまって固定し、下図に示す近点視の状態になる。
【００６４】
【発明の効果】
本発明に係る多焦点用眼鏡枠においては、遠方視・近点視のどの場合でも使用レンズ部を適正高さ・適正角度にすることができる。
【図面の簡単な説明】
【図１】実施例１の使用状態を示す正面図である。
【図２】実施例１の作動を示す正面図である。
【図３】実施例２の作動を示す正面図である。
【図４】実施例３の作動を示す縦断面図である。
【図５】実施例４の作動を示す縦断面図である。
【図６】実施例５の作動を示す縦断面図である。
【図７】実施例６の作動を示す縦断面図である。
【図８】実施例７の作動を示す縦断面図である。
【図９】実施例８の作動を示す縦断面図である。
【図１０】実施例９の作動を示す縦断面図である。
【図１１】実施例１０の作動を示す縦断面図である。
【図１２】実施例１１の作動を示す正面図である。
【図１３】実施例１２の作動を示す縦断面図である。
【図１４】実施例１３の作動を示す正面図である。
【図１５】実施例１４の作動を示す正面図である。
【図１６】実施例１５を示す正面図並びに要部の正面図及び側面図である。
【図１７】実施例１５を示す正面図並びに要部の正面図及び側面図である。
【図１８】実施例１６を示す正面図である。
【図１９】実施例１７の使用状態を示す正面図である。
【図２０】実施例１７の要部を示す断面図である。
【図２１】実施例１８の使用状態を示す正面図である。
【図２２】実施例１９の使用状態を示す正面図である。
【図２３】実施例２０の作動を示す縦断面図である。
【図２４】実施例２１の作動を示す縦断面図である。
【図２５】実施例２２の作動を示す平面図及び正面図である。
【図２６】実施例２３の作動を示す平面図及び正面図である。
【図２７】実施例２４の作動を示す正面図である。
【図２８】実施例２５の作動を示す正面図である。
【図２９】実施例２６の作動を示す正面図である。
【符号の説明】
１  眼鏡枠  ２  支持片  ３  枠脚  ４  耳掛け片  ７  鼻当て
１１・１２・１３・２１・２２  磁石  ８７・９０  バー
【図１】
0004097824.tif 000002
【図２】
0004097824.tif 000003
【図３】
0004097824.tif 000004
【図４】
0004097824.tif 000005
【図５】
0004097824.tif 000006
【図６】
0004097824.tif 000007
【図７】
0004097824.tif 000008
【図８】
0004097824.tif 000009
【図９】
0004097824.tif 000010
【図１０】
0004097824.tif 000011
【図１１】
0004097824.tif 000012
【図１２】
0004097824.tif 000013
【図１３】
0004097824.tif 000014
【図１４】
0004097824.tif 000015
【図１５】
0004097824.tif 000016
【図１６】
0004097824.tif 000017
【図１７】
0004097824.tif 000018
【図１８】
0004097824.tif 000019
【図１９】
0004097824.tif 000020
【図２０】
0004097824.tif 000021
【図２１】
0004097824.tif 000022
【図２２】
0004097824.tif 000023
【図２３】
0004097824.tif 000024
【図２４】
0004097824.tif 000025
【図２５】
0004097824.tif 000026
【図２６】
0004097824.tif 000027
【図２７】
0004097824.tif 000028
【図２８】
0004097824.tif 000029
【図２９】
0004097824.tif 000030